(57)【要約】  本発明は、対象切り替え方法、装置及びタッチスクリーン端末を開示する。ここで、本発明の対象切り替え方法は、対象ディスプレイインタフェースにおいて、タッチスクリーンにおいて現在表示中の対象に縮小及び／又は拡大のマルチポイントタッチ操作をユーザが行ったかを検出することと、前記マルチポイントタッチ操作が所定の対象切り替え条件を満たすか否かを判定し、満たすのであれば、対象を切り替えすることとを含み、本発明の切り替え方法によると、ユーザが対象に縮小及び／又は拡大操作を行う時、単一ポイントタッチ方式への切り替えを行わずに直接に対象の切り替えを実現することができ、ユーザが対象を閲覧する体験を向上させる。
2016528639.tif 000002
【特許請求の範囲】
【請求項１】
対象ディスプレイインタフェースにおいて、タッチスクリーンに現在表示中の対象に縮小及び／又は拡大のマルチポイントタッチ操作をユーザが行ったかを検出することと、
前記マルチポイントタッチ操作が所定の対象切り替え条件を満たすか否かを判定し、満たすのであれば、対象を切り替えすることと、を含む対象切り替え方法。
【請求項２】
前記マルチポイントタッチ操作に応じて、現在表示中の対象に縮小及び／又は拡大処理を行うステップを更に含み、
前記マルチポイントタッチ操作に応じて現在の対象に縮小及び／又は拡大処理を行う中途に、前記マルチポイントタッチ操作が所定の対象切り替え条件を満たすか否かを判定するステップを行う請求項１に記載の対象切り替え方法。
【請求項３】
前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである請求項１又は２に記載の対象切り替え方法。
【請求項４】
前記対象を切り替えするステップは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大させる方式で表示することを含む請求項１又は２に記載の対象切り替え方法。
【請求項５】
前記第１の所定方式が、前記切り替え待ち対象の各組成部分を前記マルチポイントタッチ操作の方向に従ってタッチスクリーンに入れて、対象として構成し表示することを含み、
前記第２の所定方式が、完全な切り替え待ち対象を前記マルチポイントタッチ操作の方向に従ってタッチスクリーンに入れて表示することを含む請求項４に記載の対象切り替え方法。
【請求項６】
前記マルチポイントタッチ操作が、ユーザが少なくとも２本以上の指で前記タッチスクリーンに接触し、前記タッチスクリーンに現在表示中の対象に縮小及び／又は拡大を行うピンチイン及び／又はピンチアウトのタッチ操作であり、前記切り替え待ち対象を二つの組成部分に区分けするステップは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けすることと、
又は、
ユーザの指と前記タッチスクリーンとの接触点の位置を検出し、前記接触点の位置に基づいて、前記切り替え待ち対象を対応する比例を有する二つの組成部分に区分けすることと、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けすることと、を含む請求項４に記載の対象切り替え方法。
【請求項７】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であって、対象を切り替えする前、前記切り替え待ち対象が、現在の対象の後対象であるかそれとも前対象であるかを確定するステップを更に含み、
該ステップは、
ユーザの指と前記タッチスクリーンとの接触点の位置を検出し、前記接触点の位置に基づいて、前記切り替え待ち対象が現在の対象の後対象であるかそれとも前対象であるかを確定することと、
又は、
ユーザの指が前記スクリーンでピンチイン及び／又はピンチアウトを行うタッチ経路の長さを検出し、前記接触点の位置に基づいて、前記切り替え待ち対象が現在の対象の後対象であるかそれとも前対象であるかを確定することと、
又は、
前記マルチポイントタッチ操作がピンチインであるかピンチアウトであるかに基づいて、切り替え待ち対象が現在の対象の後対象であるかそれとも前対象であるかを確定することと、を含む請求項１又は２に記載の対象切り替え方法。
【請求項８】
前記対象は、画面、ドキュメント又は情報表示ページを含む請求項１に記載の対象切り替え方法。
【請求項９】
対象ディスプレイインタフェースにおいて、タッチスクリーンに現在表示中の対象に縮小及び／又は拡大のマルチポイントタッチ操作をユーザが行ったかを検出するように構成される検出モジュールと、
前記マルチポイントタッチ操作が所定の対象切り替え条件を満たすか否かを判定し、満たすのであれば、対象を切り替えするように構成される対象切り替えモジュールと、を含む対象切り替え装置。
【請求項１０】
前記マルチポイントタッチ操作に応じて、現在の対象に縮小及び／又は拡大処理を行うように構成される対象処理モジュールを更に含み、
前記対象切り替えモジュールはさらに、前記対象処理モジュールにより現在の対象に縮小及び／又は拡大処理を行う中途に、前記マルチポイントタッチ操作が所定の対象切り替え条件を満たすか否かを判定するように構成される請求項９に記載の対象切り替え装置。
【請求項１１】
前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである請求項９又は１０に記載の対象切り替え装置。
【請求項１２】
前記対象切り替えモジュールは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大する方式で表示するように構成される請求項９又は１０に記載の対象切り替え装置。
【請求項１３】
前記第１の所定方式が、前記切り替え待ち対象の各組成部分を前記マルチポイントタッチ操作の方向に従ってタッチスクリーンに入れて対象として構成し表示する方式を含み、
前記第２の所定方式が、完全な切り替え待ち対象を前記マルチポイントタッチ操作の方向に従ってタッチスクリーンに入れて表示する方式を含む請求項１２に記載の対象切り替え装置。
【請求項１４】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、
前記対象切り替えモジュールは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けし、
又は、
ユーザの指と前記タッチスクリーンとの接触点の位置を検出し、前記接触点の位置に基づいて、前記切り替え待ち対象を対応する比例を有する二つの組成部分に区分けし、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けするように構成される請求項１２に記載の対象切り替え装置。
【請求項１５】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、
前記対象切り替えモジュールはさらに、ユーザの指と前記タッチスクリーンとの接触点の位置を検出し、前記接触点の位置に基づいて、前記切り替え待ち対象が現在の対象の後対象であるかそれとも前対象であるかを確定し、又は、ユーザの指が前記スクリーンでピンチイン及び／又はピンチアウトを行うタッチ経路の長さを検出し、前記接触点の位置に基づいて、前記切り替え待ち対象が現在の対象の後対象であるかそれとも前対象であるかを確定し、又は、前記マルチポイントタッチ操作がピンチインであるかピンチアウトであるかに基づいて、切り替え待ち対象が現在の対象の後対象であるかそれとも前対象であるかを確定するように構成される請求項９又は１０に記載の対象切り替え装置。
【請求項１６】
請求項９乃至１５のいずれかに記載の対象切り替え装置を含むタッチスクリーン端末。
【発明の詳細な説明】
【技術分野】
【０００１】
本発明は、端末分野に関し、具体的に、対象切り替え方法、装置及びタッチスクリーン端末に関するものである。
【背景技術】
【０００２】
タッチ式携帯電話の画面ファイルの表示や切り替え分野において、現在最も常用の方式は、指をタッチスクリーンでスライドさせる操作を介して、隣接する画面間の切り替え表示を実現し、即ち、ユーザは指を左右にスライドさせることによって、前の画面又は次の画面を呼び出してスクリーンに表示する。
【０００３】
アップル社の米国特許第７８６４１６３号は、このような操作方式を限定して保護していて、その独立請求項の開示内容は概ね、スクリーンに１セットの画面に対応するサムネール画像行列を表示し、ユーザが行列中のサムネール画像をタッチしたことを検出した後、タッチされた画像を拡大して表示し、ユーザがスクリーン上で水平移動する手動作に応じて異なる写真画像を選択することである。
【０００４】
このような操作と実現方式が簡単であるが、実現効果の多様性の方面で変化に乏しい。まず、ユーザによる画面切り替えの視覚効果は左右方向で行うしかできず、スクリーン縁に平行しない方向上の画面を切り替えする視覚効果を表示することができない。そして、現在、マルチポイントタッチ操作がますます携帯電話に普及されている。マルチポイントタッチ操作を行う時、例えば画面の拡大又は縮小を行う時、ユーザが次の画面に切り替えしようとすると、マルチポイントタッチ操作方式を単一ポイントタッチ操作方式に切り替えしなければならず、実際に使用する際不便である。
【０００５】
更に不便なことは、ユーザはある箇所の画面をもっとはっきり見るため、画面を拡大してからドラッグするが、画像のドラッグ操作と画面切り替え操作は実際上、いずれも単純にスクリーン上をスライドすることであるので、ユーザが画像をドラッグしようとしているが、縁までドラッグした後不注意で次の画面に切り替えしてしまうことがよく発生し、ユーザの使用中の操作体験の混乱や不満をもたらす。
【０００６】
一方、タッチ式携帯電話上のスライド切り替えに比べ最も伝統的な切り替え方式は、左右方向のキー又はスクリーン上の仮想キーを用いて隣接する画像の切り替えを行うことである。このような方式も柔軟性を持つものではなく、同時に、上述したスライド切り替え方式に比べ、ユーザが更に頻繁に異なる操作方式同士の切り替えを行わなければならず、ユーザの操作の連続性を中断するので、好適ではない。
【０００７】
従って、現在の大型スクリーンのタッチ式機器において、ユーザが画面で操作する際に頻繁に方式の切り替えを行う必要がなく、ユーザの操作詳細に応じて比較的に多様な表示効果を提供して画面操作と閲覧する時のユーザの体験を向上させるように、一層優れた融通性を持ち且つ視覚効果が一層豊かな画面切り替え方式が必要である。
【発明の概要】
【発明が解決しようとする課題】
【０００８】
本発明が解決しようとする主な技術課題は、ユーザが対象を閲覧する体験を向上させることのできる対象切り替え方法、装置及びタッチスクリーン端末を提供することである。
【課題を解決するための手段】
【０００９】
上記技術課題を解決するため、本発明は、
対象ディスプレイインタフェースにおいて、タッチスクリーンに現在表示中の対象に縮小及び／又は拡大のマルチポイントタッチ操作をユーザが行ったかを検出することと、前記マルチポイントタッチ操作が所定の対象切り替え条件を満たすか否かを判定し、満たすのであれば、対象を切り替えすることと、を含む対象切り替え方法を提供する。
【００１０】
さらに、前記対象切り替え方法は、前記マルチポイントタッチ操作に応じて、現在表示中の対象に縮小及び／又は拡大処理を行うステップを更に含み、前記マルチポイントタッチ操作に応じて現在の対象に縮小及び／又は拡大処理を行う中途に、前記マルチポイントタッチ操作が所定の対象切り替え条件を満たすか否かを判定するステップを行う。
【００１１】
さらに、前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである。
【００１２】
さらに、前記対象を切り替えするステップは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大させる方式で表示することを含む。
【００１３】
さらに、前記第１の所定方式が、前記切り替え待ち対象の各組成部分を前記マルチポイントタッチ操作の方向に従ってタッチスクリーンに入れて、対象として構成して表示することを含み、
前記第２の所定方式が、完全な切り替え待ち対象を前記マルチポイントタッチ操作の方向に従ってタッチスクリーンに入れて表示することを含む。
【００１４】
さらに、前記マルチポイントタッチ操作が、ユーザが少なくとも２本以上の指で前記タッチスクリーンに接触し、前記タッチスクリーンに、現在表示中の対象に縮小及び／又は拡大を行うピンチイン及び／又はピンチアウトのタッチ操作であり、前記切り替え待ち対象を二つの組成部分に区分けするステップは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けすることと、
又は、
ユーザの指と前記タッチスクリーンとの接触点の位置を検出し、前記接触点の位置に基づいて、前記切り替え待ち対象を対応する比例を有する二つの組成部分に区分けすることと、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けすることと、を含む。
【００１５】
さらに、前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であって、対象を切り替えする前、前記切り替え待ち対象が、現在の対象の後対象であるかそれとも前対象であるかを確定するステップを更に含み、該ステップは、
ユーザの指と前記タッチスクリーンとの接触点の位置を検出し、前記接触点の位置に基づいて、前記切り替え待ち対象が現在の対象の後対象であるかそれとも前対象であるかを確定することと、
又は、
ユーザの指が前記スクリーンでピンチイン及び／又はピンチアウトを行うタッチ経路の長さを検出し、前記接触点の位置に基づいて、前記切り替え待ち対象が現在の対象の後対象であるかそれとも前対象であるかを確定することと、
又は、
前記マルチポイントタッチ操作がピンチインであるかピンチアウトであるかに基づいて、切り替え待ち対象が現在の対象の後対象であるかそれとも前対象であるかを確定することと、を含む。
【００１６】
さらに、前記対象は、画面、ドキュメント又は情報表示ページである。
【００１７】
同様に、上述した技術課題を解決するため、本発明は、
対象ディスプレイインタフェースにおいて、タッチスクリーンに現在表示中の対象に縮小及び／又は拡大のマルチポイントタッチ操作をユーザが行ったかを検出するように構成される検出モジュールと、前記マルチポイントタッチ操作が所定の対象切り替え条件を満たすか否かを判定し、満たすのであれば、対象を切り替えするように構成される対象切り替えモジュールと、を含む対象切り替え装置を提供する。
【００１８】
さらに、前記対象切り替え装置は、
前記マルチポイントタッチ操作に応じて、現在の対象に縮小及び／又は拡大処理を行うように構成される対象処理モジュールを更に含み、
前記対象切り替えモジュールはさらに、前記対象処理モジュールにより現在の対象に縮小及び／又は拡大処理を行う中途に、前記マルチポイントタッチ操作が所定の対象切り替え条件を満たすか否かを判定するように構成される。
【００１９】
さらに、前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作である。
【００２０】
さらに、前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである。
【００２１】
さらに、前記対象切り替えモジュールは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大する方式で表示するように構成される。
【００２２】
さらに、前記第１の所定方式が、前記切り替え待ち対象の各組成部分を前記マルチポイントタッチ操作の方向に従ってタッチスクリーンに入れて対象として構成し表示する方式を含み、
前記第２の所定方式が、完全な切り替え待ち対象を前記マルチポイントタッチ操作の方向に従ってタッチスクリーンに入れて表示する方式を含む。
【００２３】
さらに、前記マルチポイントタッチ操作はユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、前記対象切り替えモジュールは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けし、
又は、
ユーザの指と前記タッチスクリーンとの接触点の位置を検出し、前記接触点の位置に基づいて、前記切り替え待ち対象を対応する比例を有する二つの組成部分に区分けし、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けするように構成される。
【００２４】
さらに、前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、前記対象切り替えモジュールはさらに、ユーザの指と前記タッチスクリーンとの接触点の位置を検出し、前記接触点の位置に基づいて、前記切り替え待ち対象が現在の対象の後対象であるかそれとも前対象であるかを確定し、又は、ユーザの指が前記スクリーンでピンチイン及び／又はピンチアウトを行うタッチ経路の長さを検出し、前記接触点の位置に基づいて、前記切り替え待ち対象が現在の対象の後対象であるかそれとも前対象であるかを確定し、又は、前記マルチポイントタッチ操作がピンチインであるかピンチアウトであるかに基づいて、切り替え待ち対象が現在の対象の後対象であるかそれとも前対象であるかを確定するように構成される。
【００２５】
同様に、上述した技術課題を解決するため、本発明は、上述した対象切り替え装置を含むタッチスクリーン端末を提供する。
【発明の効果】
【００２６】
本発明によると以下の有益な効果を実現できる。
本発明はユーザが対象を閲覧する体験を向上させることのできる対象切り替え方法、装置及びタッチスクリーン端末を提供し、本発明の対象切り替え方法は、対象ディスプレイインタフェースにおいて、ユーザがタッチスクリーンにおいて現在表示中の対象に縮小及び／又は拡大のマルチポイントタッチ操作を行ったかを検出することと、前記マルチポイントタッチ操作が所定の対象切り替え条件を満たすか否かを判定し、満たすのであれば、対象を切り替えすることと、を含み、本発明の切り替え方法によると、ユーザが現在表示中の対象に縮小及び／又は拡大の操作を行う時に、単一ポイントタッチ操作に切り替えせずに、直接に対象を切り替えすることができ、ユーザの画面閲覧に関連する操作が一層スムーズ且つ便利になって、同時に、単一ポイントのタッチに切り替えする必要がないので、対象一部のドラッグと対象同士の切り替えとの二つの操作が同じであることで誤操作が発生する問題を避けることができる。既存の切り替え方法に比べ、本発明の切り替え方法によると、ユーザによる対象に対する操作便宜性を向上させると共に、対象を閲覧する際の体験を向上させる。例えば、対象が画面である時、本発明の切り替え方法によると、ユーザが現在表示中の画面に縮小及び／又は拡大操作を行う時、単一ポイントのタッチ操作に切り替えする必要がなく、直接に画面を切り替えすることができ、ユーザの画面閲覧に関連する操作が一層スムーズ且つ便利になる。
【図面の簡単な説明】
【００２７】
【図１】本発明の実施例１が提供する画面切り替え方法のプロセスを示す図である。
【図２】本発明の実施例１が提供する他の画面切り替え方法のプロセスを示す図である。
【図３】本発明の実施例１が提供するユーザがタッチスクリーンでピンチインのタッチ動作を行うことを示す図である。
【図４】本発明の実施例１が提供するピンチインすることで画面１を縮小することを示す図である。
【図５】本発明の実施例１が提供する画面２がスクリーンに入ることを示す図である。
【図６】本発明の実施例１が提供する表示画面２を示す図である。
【図７】本発明の実施例１が提供する他のユーザがタッチスクリーンでピンチインのタッチ動作を行うことを示す図である。
【図８】本発明の実施例１が提供する他の画面２がスクリーンに入ることを示す図である。
【図９】本発明の実施例１が提供する他のユーザがタッチスクリーンでピンチインのタッチ動作を行うことを示す図である。
【図１０】本発明の実施例１が提供する他の画面２がスクリーンに入ることを示す図である。
【図１１】本発明の実施例１が提供する画面２をピンチインして縮小することを示す図である。
【図１２】本発明の実施例１が提供する画面１がスクリーンに入ることを示す図である。
【図１３】本発明の実施例１が提供する他のユーザがタッチスクリーンでピンチインのタッチ動作を行うことを示す図である。
【図１４】本発明の実施例１が提供する図１の次の画面２がスクリーンに入ることを示す図である。
【図１５】本発明の実施例２が提供する他のユーザがタッチスクリーンでピンチインのタッチ動作を行うことを示す図である。
【図１６】本発明の実施例１が提供する図２の前の画面１がスクリーンに入ることを示す図である。
【図１７】本発明の実施例１が提供するメッセージ交換ページ１にピンチインの縮小を行うことを示す図である。
【図１８】本発明の実施例１が提供するメッセージ交換ページ２がスクリーンに入ることを示す図である。
【図１９】本発明の実施例２が提供する対象切り替え装置の構造を示す図である。
【図２０】本発明の実施例２が提供する他の対象切り替え装置の構造を示す図である。
【図２１】本発明の実施例２が提供する端末の構造を示す図である。
【発明を実施するための形態】
【００２８】
以下、具体的な実施形態と図面を結合して本発明を更に詳しく説明する。
本発明の核心思想は、対象ディスプレイインタフェースにおいて、ユーザがタッチスクリーンにおいて現在表示中の対象に縮小及び／又は拡大のマルチポイントタッチ操作を行ったかを検出し、前記マルチポイントタッチ操作が所定の対象切り替え条件を満たすか否かを判定し、満たすのであれば、対象を切り替えする。該技術案によると、ユーザが対象を閲覧する際にマルチポイントタッチ操作を介して対象の切り替えを実現することができ、単一ポイントタッチ操作への切り替えを行わずに対象の切り替えを実現することができる。本発明の対象は、画面、テキスト又は情報表示ページ等を含む。画面の切り替えはユーザがよく行うことであるので、以下、画面を対象として、本発明の対象切り替え方法を説明する。
【００２９】
（実施例１）
図１に示すように、本実施例で以下のステップを含む画面切り替え方法を提供する。
画面表示インターフェースにおいて、ユーザがタッチスクリーンにおいて現在表示中の画面に縮小及び／又は拡大のマルチポイントタッチ操作を行ったかを検出する（ステップ１０１）。
前記マルチポイントタッチ操作が所定の画面切り替え条件を満たすか否かを判定し（ステップ１０２）、満たすのであれば、ステップ１０３を実行し、そうでないと、ステップ１０４を実行する。
画面を切り替えする（ステップ１０３）。
縮小及び／又は拡大処理を行う（ステップ１０４）。
【００３０】
本実施例の画面切り替え方法によると、ユーザが画面の縮小及び／又は拡大操作を行う時に、単一ポイントタッチ方式に切り替えせずに直接に画面を切り替えすることができ、ユーザの画面閲覧に関連する操作が一層スムーズ且つ便利になる。例えば、ユーザがマルチポイントタッチ操作によって現在表示中の画面を拡大する場合、該マルチポイントタッチ操作が所定の操作に符合すると判定した時に画面を切り替えし、ユーザはマルチポイントタッチ式から単一ポイントタッチ式に切り替えしてから画面を切り替えする必要がない。本発明の実施例の切り替え方法によると、画面一部のドラッグと画面間の切り替えとの二つの操作が同じであることで誤操作が発生する問題を避けることができ、既存の画面切り替え方法に比べ、本発明の画面切り替え方法によると、ユーザが画面を操作する利便性及び画面を閲覧する体験を向上させることができる。
【００３１】
本実施例の画面切り替え方法は、前記マルチポイントタッチ操作に応じて、現在表示中の画面に縮小及び／又は拡大処理を行うステップを更に含む。該画面縮小及び／又は拡大のステップと、切り替え条件を満たすか否かを判定するステップとは並行して行うことができる二つのステップで、その間の時間順関係は様々で、例えば判定ステップを縮小及び／又は拡大のステップの前に行うことができ、又は判定ステップを縮小及び／又は拡大のステップの後に行うこともでき、又は判定ステップを縮小及び／又は拡大のステップ中に行うこともできる。図２に示すように、本実施例の画面切り替え方法は以下のステップを含む。
画面表示インターフェースにおいて、ユーザがタッチスクリーンにおいて現在表示中の画面に縮小及び／又は拡大のマルチポイントタッチ操作を行ったかを検出する（ステップ２０１）。
前記マルチポイントタッチ操作に応じて、現在の画面に縮小及び／又は拡大処理を行う（ステップ２０２）。
現在の画面に縮小及び／又は拡大処理を行う際、前記マルチポイントタッチ操作が所定の画面切り替え条件を満たすか否かを判定し（ステップ２０３）、満たすのであれば、ステップ２０４を実行し、そうでないと、ステップ２０５を実行する。
切り替え待ち画面に切り替えして前記タッチスクリーンに表示する（ステップ２０４）。
継続して現在表示中の画面に縮小及び／又は拡大処理を行う（ステップ２０５）。
【００３２】
ステップ２０１〜２０５から分かるように、本実施例の画面切り替え方法において、切り替え条件を満たすか否かを検出するステップと画面に縮小及び／又は拡大を行うステップとは並行して行われていて、当該二つのステップを同時に行うことができる。本実施例の切り替え方法において、ユーザがタッチスクリーンにおいて現在表示中の画面に縮小及び／又は拡大のマルチポイントタッチ操作を行ったと検出した時、まず切り替え条件を満たすか否かを検出し、満たす場合、端末は縮小及び／又は拡大を行わず、直接に切り替えし、満たさない場合、端末が画面に縮小及び／又は拡大を行うこともできることは言うまでもない。つまり、当該二つのステップの前後の順序は特に制限しない。
【００３３】
本実施例の画面切り替え方法によって、端末は画面に縮小及び／又は拡大処理を行う過程に画面を切り替えすることができる。ユーザの場合、ユーザが画面に縮小及び／又は拡大のマルチポイントタッチ操作を行う時に、単一ポイントタッチ方式に切り替えせずに直接に画面を切り替えすることができ、ユーザの画面閲覧に関連する操作が一層スムーズ且つ便利になる。例えば、ユーザがマルチポイントタッチ操作を介して現在表示中の画面に縮小のマルチポイント操作を行う時、画面縮小中のある時刻でマルチポイントタッチ操作の軌跡が所定の操作軌跡に符合すると、画面を切り替えし、ユーザが画面縮小中に操作方式の切り替えを行わずに画面の切り替えを実現することができる。本発明の実施例の切り替え方法によると、画面一部のドラッグと画面間の切り替えとの二つの操作が同じであることで誤操作が発生する問題を避けることができる。
【００３４】
本実施例におけるマルチポイントタッチ操作は典型的な操作であることができ、即ち、少なくとも２本の指でタッチスクリーンにおいてピンチイン及び／又はピンチアウトのタッチ操作を行うことができ、例えば、２本の指によるピンチインによって画面を縮小し、２本の指によるピンチアウトによって画面を拡大する。従って、上記ステップ１０１又は２０１における前記マルチポイントタッチ操作は、ユーザが少なくとも２本以上の指で前記タッチスクリーンに接触して、前記タッチスクリーンにおいて現在表示中の画面に縮小及び／又は拡大のピンチイン／ピンチアウトのタッチ操作を行うことである。なお、本実施例中のマルチポイントタッチ操作が他の類型のマルチポイントタッチ操作であることもできる。以下、典型的なマルチポイントタッチ操作をマルチポイントタッチ操作として、本実施例の対象切り替え方法を説明する。
【００３５】
当該タッチ操作を介して画面に縮小及び／又は拡大を行う場合、上記ステップ１０３において前記マルチポイントタッチ操作が所定の画面切り替え条件を満たすか否かを判定するステップは、ピンチイン及び／又はピンチアウトのタッチ操作が所定の画面切り替え条件を満たすか否かを検出することである。
【００３６】
本実施例中の所定の画面切り替え条件は、ユーザが画面を縮小／拡大するタッチ操作に基づいて設定することができ、ユーザが画面に縮小／拡大操作を行う時、縮小／拡大操作中のいずれかが所定の閾値を超えると、表示中の現在の画面を現在の画面に隣接する画面に切り替えしてスクリーンに表示する。本実施例の切り替え方法において、ユーザがピンチイン及び／又はピンチアウトのタッチ操作を介して画面を縮小及び／又は拡大する時、ピンチイン及び／又はピンチアウトのタッチ操作の操作頻度が所定の範囲内であるか否かに基づいて切り替えする必要があるか否かを判定することができる。例えば、現在のピンチイン及び／又はピンチアウトのタッチ操作の操作頻度が所定の頻度を超える時、画面の切り替えを行う。そして、ピンチイン及び／又はピンチアウトのタッチ操作に対応する縮小及び／又は拡大の比例が所定の範囲内であるか否かに基づいて画面の切り替えを行う必要があるか否かを判定することもでき、例えば、現在のピンチイン及び／又はピンチアウトのタッチ操作に対応する縮小及び／又は拡大比例が所定の比例値を超える時、画面の切り替えを行う。そして、ピンチイン及び／又はピンチアウトのタッチ操作の回数が所定の範囲内であるか否かに基づいて切り替えする必要があるか否かを判定することもでき、例えば、ピンチイン及び／又はピンチアウトの総回数が所定の回数を超える時、画面を切り替えする。つまり、本実施例の切り替え条件は、ユーザが画面に縮小／拡大を行う際に用いたタッチ操作の特徴に基づいて設定されることができる。よって、本実施例の所定の画面切り替え条件は、以下の３種類の切り替え条件の中の一つ又は少なくとも二つの組み合せである：
第１種：ピンチイン及び／又はピンチアウトのタッチ操作の操作頻度が所定の頻度範囲内である。
第２種：ピンチイン及び／又はピンチアウトのタッチ操作に対応する縮小及び／又は拡大比例が所定の比例範囲内である。
第３種：ピンチイン及び／又はピンチアウトのタッチ操作の操作回数が所定の回数範囲内である。
【００３７】
本実施例の所定の画面切り替え条件は単一の切り替え条件であることができれば、切り替え条件の組み合せであることもでき、ここで、単一の切り替え条件は一つの所定の画面切り替え条件で、上述した３種類の所定の画面切り替え条件の中の一つであることができ、上記３種類の所定の画面切り替え条件の中の一つを満たすと、画面を切り替えすることができる。例えば、ピンチイン及び／又はピンチアウトのタッチ操作の操作頻度が所定の頻度範囲を満たす時、端末は画面の切り替えを行うことができる。
【００３８】
画面切り替えの正確性を保証し誤操作を防止するため、本実施例の所定の画面切り替え条件が切り替え条件の組み合わせであることができ、それは複数の切り替え条件から構成され、切り替え条件の組み合わせは、上述した３種類の所定の画面切り替え条件の中の少なくとも二つの切り替え条件を組み合わせして構成され、例えば，切り替え条件の組み合わせは、ピンチイン及び／又はピンチアウトのタッチ操作の操作頻度が所定の頻度範囲であってかつピンチイン及び／又はピンチアウトのタッチ操作に対応する縮小及び／又は拡大比例が所定の比例範囲であるものであることができる。当該二つの条件を同時に満たす時のみ、画面の切り替えを行う。切り替え条件の組み合わせの場合、その判定順は、まずピンチイン及び／又はピンチアウトのタッチ操作の操作頻度が所定の頻度範囲であるか否かを判定し、その後、ピンチイン及び／又はピンチアウトのタッチ操作に対応する縮小及び／又は拡大比例が所定の比例範囲であるか否かを判定する。
【００３９】
本実施例の画面切り替え方法によると、ユーザがマルチポイントタッチ操作を介して縮小及び／又は拡大を行う時、単一ポイント操作に切り替えせずに画面を切り替えすることができ、ユーザが画面を閲覧する体験を向上させる。
【００４０】
以下、画面の縮小及び／又は拡大中に画面を切り替えするプロセスを説明する。
第１状況：ユーザが２本の指でタッチスクリーンに接触して、前記タッチスクリーンにおいて、現在表示中の画面にピンチインのタッチ動作を行っていて、この時、現在表示中の画面は指のピンチインに応じて徐々に小さくなっていて、指のピンチイン動作に対応する画面縮小限度が所定の限度に達した時、端末は新しい画面に切り替えして前記タッチスクリーンに表示して、画面の切り替えを完成し、また、ピンチイン動作に対応する画面縮小限度が所定の限度に達していない時、現在表示中の画面を継続して縮小する。図３〜６に画面が最低限度まで縮小された後、継続して縮小操作を行うと、画面切り替えプロセスが開始されることを示す。具体的に、図３に示すように、携帯型移動機器３０１のタッチスクリーン３０１２に正常に画像２を表示している時、利用者が図に示す方向に従って、２点操作でそれぞれ右下方と左上方からピンチインのタッチ操作を行って、画像１に縮小操作を行い、図４に示すように、この時、画像１は既に正常状況での最小閾値まで縮小されていて、利用者が継続して右下左上方式でピンチインの縮小操作を行うと、図５と図６に示すように、本実施例の端末による該縮小操作に対する応答は、画像１が消えるまで継続して縮小され、同時に、画像１に隣接する画像２はユーザによる縮小操作の操作方向に従って、それぞれ二つの部分に区分けされて左上方と右下方から画面に入って中央で合併されて、画像２によって画像１を入れ替えする切り替えを完成して表示する。このような場合、ユーザが画面を縮小する場合のみに画面を切り替えすることができる。図３〜６において、３０１は第１の携帯型移動機器を示し、３０１１は携帯型移動機器３０１上のスピーカーを示し、３０１２は携帯型移動機器３０１上のタッチスクリーンを示し、３０１３は携帯型移動機器３０１上の機能キーを示す。
【００４１】
第２状況：ユーザが２本の指でタッチスクリーンに接触して、前記タッチスクリーンにおいて現在表示中の画面にピンチアウトのタッチ動作を行っていて、この時、現在表示中の画面は指のピンチアウトに応じて徐々に大きくなっていて、指のピンチアウト動作に対応する画面拡大限度が所定の限度に達した時、端末は新しい画面に切り替えして前記タッチスクリーンに表示して、画面の切り替えを完成し、ピンチアウト動作に対応する画面拡大限度が所定の限度に達していない時、現在表示中の画面を継続して縮小する。当該状況での切り替えプロセスは第１状況に類似し、図３〜６を参照することができる。このような場合、ユーザが画面を拡大する時のみ、画面の切り替えを行うことができる。
【００４２】
第３状況：ユーザが２本の指でタッチスクリーンに接触して、前記タッチスクリーンにおいて現在表示中の画面にピンチインとピンチアウトのタッチ動作を行って画面を縮小／拡大し、現在表示中の画面にピンチインのタッチ動作を行う時、現在表示中の画面は指のピンチインに応じて徐々に小さくなっていて、現在表示中の画面にピンチアウトのタッチ動作を行う時、現在表示中の画面は指のピンチアウトに応じて徐々に大きくなっていて、ユーザが画面を縮小する時、第１状況の切り替えプロセスを参照することができ、ユーザが画面を拡大する時は、第２状況の切り替えプロセスを参照することができ、ユーザがまず画面を縮小してから拡大する時、即ち、ユーザがまず画面にピンチイン動作を行った後ピンチアウト動作を行う場合、ピンチイン動作とピンチアウト動作との間の時間間隔が所定の時間閾値を満たすか否かを検出し、満たすと、画面を切り替えすることができる。このような場合、ユーザが画面を縮小と拡大する二つのプロセスにおいて、いずれも画面の切り替えを行うことができる。
【００４３】
本実施例の画面切り替え方法によると、ユーザが画面を縮小及び／又は拡大する時、単一ポイントタッチ方式に切り替えせずに直接に画面を切り替えすることができ、ユーザの画面閲覧に関連する操作が一層スムーズ且つ便利になって、ユーザはマルチポイントタッチ方式から単一ポイントタッチ方式に切り替えせずに画面を切り替えすることができる。本発明の実施例の切り替え方法によると、画面一部のドラッグと画面間の切り替えとの二つの操作が同じであることで誤操作が発生する問題を避けることができる。
【００４４】
本実施例の画面切り替え方法において、画面の切り替えを行う具体的なプロセスを提供し、異なる切り替え待ち画面の切り替え効果を設定することで、ユーザの体験を一層向上させることができる。従って、上述したステップ１０３又は２０４における画面を切り替えするステップは以下の３種類を含むことができる：
第１種：切り替え待ち画面を少なくとも二つの組成部分に区分けし、切り替え待ち画面の各組成部分を第１の所定方式でタッチスクリーンに入れて画面を構成して表示する。
当該切り替え待ち画面の切り替え方式は主に、切り替え条件がトリガーされた時、切り替え待ち画面を少なくとも二つの部分に区分けして、切り替え待ち画面の各部分を所定の方式でタッチスクリーンに入れて、その後、切り替え待ち画面を構成して表示する。例えば、切り替え条件がトリガーされた時、切り替え待ち画面を複数の組成部分に区分けして、前記切り替え待ち画面の各組成部分を、ピンチイン及び／又はピンチアウトのタッチ操作の方向に従ってタッチスクリーンに入れて前記切り替え待ち画面を構成して表示し、又は、切り替え待ち画面の二つの組成部分を予め設定した二つの異なる方向からタッチスクリーンに入れて切り替え待ち画面を構成して表示する。本実施例において、第１の所定方式は前記切り替え待ち画面の各組成部分をピンチイン及び／又はピンチアウトのタッチ操作の方向に従ってタッチスクリーンに入れて画面を構成して表示すること、又は固定の方向に従ってスクリーンに入れて表示することを含む。例えば、２本の指で画面にピンチインの縮小操作を行う時、二つの切り替え待ち画面の組成部分は指のピンチインの方向に従ってスクリーンに入り、又は、２本の指で画面にピンチアウトの拡大操作を行う時、二つの組成部分は２本の指のタッチ点によって形成される直線方向に従ってスクリーンに入り、又は、画面に複数回のピンチインと複数回のピンチアウトの操作を行う時、最後の操作を行う時の２本の指のタッチ点によって形成される直線方向に従ってスクリーンに入り、又はスライドする直線方向に従ってスクリーンに入る。
【００４５】
第２種：完全な切り替え待ち画面を第２の所定方式でタッチスクリーンに入れて表示する。
当該切り替え待ち画面の切り替え方式は主に、切り替え待ち画面を完全な方式で所定の方向に従ってタッチスクリーンに入れて表示する。例えば、完全な切り替え待ち画面をピンチイン及び／又はピンチアウトのタッチ操作の方向に従ってタッチスクリーンに入れて表示し、又は、例えば切り替え待ち画面をタッチスクリーンの四つの辺の中のいずれかからタッチスクリーンに入れて表示する。
【００４６】
第３種：切り替え待ち画面を前記タッチスクリーン上の１点から徐々に拡大する方式で表示する。
当該切り替え待ち画面の切り替え方式は主に、表示スクリーン上の一つの点を開始点として、徐々にタッチスクリーン全体に充填していく。例えば、一つの指とタッチスクリーンとの接触点がタッチスクリーン全体に拡散されて表示する。
【００４７】
以下、上述した第１種の切り替え待ち画面の切り替え方式を例に、本発明の切り替え待ち画面をタッチスクリーンに切り替えして表示するプロセスを説明する。
第１種の切り替え方式において、切り替え待ち画面を少なくとも二つの組成部分に区分けするプロセスは、以下の３種類を含むことができる：
１、ピンチイン及び／又はピンチアウトのタッチ操作の中央線を検出し、前記中央線が現在表示中の画面を二つの部分に区分けした比例値を取得し、前記比例値に基づいて、前記切り替え待ち画面を対応する比例を有する二つの組成部分に区分けする。
図７に示すように、ユーザが２本の指で上下へピンチインして画面に縮小操作を行って、縮小閾値に達した後ユーザが継続して操作を行うと、画面切り替え条件をトリガーすることになる。画像の切り替えがトリガーされた時、ユーザのタッチ操作の中心が位置する水平直線によって、画面領域全体が異なる比例を有する上下の二つの部分に区分けされる。図８に示すように、被切り替え画面も上述した異なる比例で、異なる比例を有する二つの部分に区分けされ、それぞれ上下から画面表示領域に入って、最終的に、左図の「操作中心が位置する直線」の位置で１枚の完全な画面に結合される。ユーザが操作する位置に基づいて異なる部分の画像の比例を制御し、視覚効果上、ユーザに二つの指でそれぞれ二つの部分を操作点まで引っ張って１枚の画面を構成する感覚を与える。図７と図８において、４０１は第２種の携帯型移動機器を示し、４０１１は携帯型移動機器４０１上のスピーカーを示し、４０１２は携帯型移動機器４０１上のタッチスクリーンを示し、４０１３は携帯型移動機器４０１上の機能キーを示す。
【００４８】
２、ユーザの指と前記タッチスクリーンとの接触点の位置を検出し、前記接触点の位置に基づいて、前記切り替え待ち画面を対応する比例を有する二つの組成部分に区分けする。
例えば、図７に示すように、人差指と親指のスクリーン上のタッチ点の位置に基づいて、切り替え待ち画面を対応する比例を有する二つの組成部分に区分けし、図６において、人差指と親指のタッチ点のスクリーン上の位置がスクリーンの中央線の下方に位置するので、この時、所定の比例で、切り替え待ち画面を二つの組成部分に区分けすることができる。
【００４９】
３、ユーザの指が前記スクリーンでピンチイン及び／又はピンチアウトを行うタッチ経路の長さを検出し、前記タッチ経路の長さに基づいて、前記切り替え待ち画面を対応する比例を有する二つの組成部分に区分けする。
例えば、図７において、人差指がスライドした経路と親指がスライドした経路のサイズを取得して、当該二つの経路の比例に基づいて、切り替え待ち画面を区分けする比例を確定することができる。
【００５０】
上述した第１種の切り替え方式において、前記切り替え待ち画面の各組成部分を、ピンチイン及び／又はピンチアウトのタッチ操作の方向に従ってタッチスクリーンに入れて前記切り替え待ち画面を構成して表示するステップは、前記切り替え待ち画面の二つの組成部分を、ピンチイン及び／又はピンチアウトのタッチ操作の方向に従って前記タッチスクリーンに入れて画面を構成して表示することを含む。図５と図８に示すように、切り替え待ち画面の二つの部分をそれぞれ、人差指と親指のスライド方向からタッチスクリーンに入れる。
【００５１】
本実施例の画面切り替え方法は、画面を切り替えする前、切り替え待ち画面が現在の画面の前画面であるか後画面であるかを確定するステップを更に含む。該ステップは以下の２種類を含むことができる。
１、ユーザの指と前記タッチスクリーンとの接触点の位置を検出し、前記接触点の位置に基づいて、前記切り替え待ち画面が現在の画面の前画面であるか後画面であるかを確定する。
図９〜図１２は、タッチ点の位置に基づいて前画面に切り替えするか又は後画面に切り替えするかを説明する図で、図９〜図１２において、画像２は画像１の後画面である。図９〜図１２において、５０１は第３の携帯型移動機器を示し、５０１１は携帯型移動機器５０１上のスピーカーを示し、５０１２は携帯型移動機器５０１上のタッチスクリーンを示し、５０１３は携帯型移動機器５０１上の機能キーを示す。
図９と図１２に示すように、タッチ点の位置がスクリーンの左側にあって、ユーザが本発明の上記方式で画像の切り替えをトリガーした時、画像１の後画面である画像２に切り替えすると自動的に判定する。
図１１と図１２に示すように、切り替えした後、タッチ点の位置がスクリーンの右側にあって、ユーザが本発明の上記方式で画像の切り替えをトリガーした時、画像２の前画面である画像１に切り替えすると自動的に判定する。
本実施例において操作点の左右位置に基づいて前画像に切り替えするか又は後画像に切り替えするかを説明し、上述した実施例で提供した操作点の位置に基づいて二つの部分の画像の結合比例を判定する内容を結合すると、完全な実施案を形成することができる。
【００５２】
２、ユーザの指が前記スクリーンでピンチイン及び／又はピンチアウトを行うタッチ経路の長さを検出し、前記接触点の位置に基づいて、前記切り替え待ち画面が現在の画面の前画面であるか後画面であるかを確定する。
図１３と図１４において、画像２は画像１の後画像である。上方の２枚の画面と下方の２枚の画面において、ユーザの指の操作は明らかに異なっていて、図１３においてユーザの上方の指による操作経路の長さは下方の指による操作経路の長さより長く、図１４は図１３に対する応答であって、ユーザが縮小操作を行う時、タッチ式機器は自動的に二つの指の操作経路の長さを記録し、上方の指による操作経路の長さが下方の指による操作経路の長さより長いと、自動的に現在の画面の後画面である右上図中の画像２に切り替えする。
図１５と図１６に示すように、反対に、下方の指による操作経路の長さが上方の指による操作経路の長さより長いと、自動的に現在の画面の前画面に切り替えする。図１３〜図１６において、６０１は第４の携帯型移動機器を示し、６０１１は携帯型移動機器６０１上のスピーカーを示し、６０１２は携帯型移動機器６０１上のタッチスクリーンを示し、６０１３は携帯型移動機器６０１上の機能キーを示す。
【００５３】
３、前記マルチポイントタッチ操作がピンチインであるかピンチアウトであるかに基づいて、切り替え待ち画面が現在の画面の前画面であるか後画面であるかを確定する。
例えば、第１状況において、ユーザがピンチインのタッチ操作を介して画面を縮小し、ピンチインのタッチ操作によって切り替え条件がトリガーされた時、ユーザのマルチポイントタッチ操作がピンチインであることが検出されたので、切り替え待ち画面が現在の画面の後画面であると確定する。第３状況（即ち、縮小するタッチ操作を介して画面を切り替えすることができれば、拡大するタッチ操作を介して画面を切り替えすることもできる）において、本実施例の画面切り替え方法は、ユーザがピンチイン等の縮小するタッチ操作を介して画面を切り替えする時、切り替えする切り替え待ち画面は現在の画面の後画面又は前画面であって、ユーザがピンチアウト等の拡大するタッチ操作を介して画面を切り替えする時、切り替えする新しい画面は現在の画面の前画面又は後画面であると設定することができる。
本実施例のように切り替え画面がスクリーンに入る方式を設定することで、多様な視覚効果を実現し、ユーザの体験を向上させることができる。
【００５４】
ユーザの体験を一層向上させるため、本発明の実施例の画面切り替え方法は、切り替え待ち画面が存在するか否かを確定するステップを更に含むことができ、切り替え待ち画面が存在し、所定の画面切り替え条件を満たす時のみ、画面の切り替えを行い、切り替え待ち画面が存在しない時、画面の切り替えを行わない。
【００５５】
本発明の対象切り替え方法は情報ページの切り替えに応用されることもでき、例えば、本発明の対象がメッセージページである場合、ユーザが現在表示中のメッセージ交換ページ１を閲覧する時、ユーザは本発明の切り替え方法に従って対象切り替え条件をトリガーし、図１７と図１８に示すように、ユーザがメッセージ交換ページ１に縮小のピンチインのタッチ操作を行って、ピンチインのタッチ操作に対応するメッセージ交換ページ１の縮小比例が所定の比例閾値に達すると、メッセージ交換ページ２の二つの組成部分は指がピンチインした方向に従って、タッチスクリーンに入って、ユーザの操作中央線にてメッセージ交換ページ２を構成して表示される。ここで、メッセージ対象ページ２をタッチスクリーンに入れる方式は上記画面１又は２をタッチスクリーンに入れる方式を参照することができ、例えば、操作中央線がメッセージ交換ページ１を区分けした比例に従って、メッセージページ２を対応する比例を有する二つの部分に区分けすることができる。その後、ユーザの指によるタッチ操作の方向に従って、タッチスクリーンに入れて表示する。ここでの情報ページ切り替え条件及び切り替え方式は、図１７と図１８に開示した方式に限定されることはなく、上述した画面の全ての切り替え条件及び切り替え方式を情報ページの切り替えに応用することができる。図１７と図１８において、７０１は第５の携帯型移動機器を示し、７０１１は携帯型移動機器７０１上のスピーカーを示し、７０１２は携帯型移動機器７０１上のタッチスクリーンを示し、７０１３は携帯型移動機器７０１上の機能キーを示す。
【００５６】
以上、画面を縮小する場合の切り替えプロセスを主に説明し、縮小操作に類似して、本発明の核心思想に基づいて、拡大操作を介して画面の切り替えを行うこともでき、拡大操作が画面拡大の閾値、例えば拡大の上限を超える時、画面の切り替えを開始し、切り替えをトリガーする時のユーザの指の操作位置又は操作経路の長さ等の情報に基づいて、前画面に切り替えするか又は後画面に切り替えするかを判定し、切り替えの視覚効果を制御することができる。その原理が縮小操作に類似するので、本実施例の上述した内容を参照することができ、ここでは説明を省略する。
【００５７】
（実施例２）
本実施例においても、画面を対象として本発明の対象切り替え装置を説明し、図１９に示すように、本実施例で提供する対象切り替え装置は、
画面表示インターフェースにおいて、ユーザがタッチスクリーンにおいて現在表示中の画面に縮小及び／又は拡大のマルチポイントタッチ操作を行ったかを検出するように構成される検出モジュールと、
前記マルチポイントタッチ操作が所定の画面切り替え条件を満たすか否かを判定し、満たすのであれば、画面を切り替えするように構成される対象切り替えモジュールと、を含む。
【００５８】
本実施例の対象切り替え装置は、縮小及び／又は拡大するためのマルチポイントタッチ操作を介して画面を切り替えし、ユーザが操作方式を切り替えすることで画面を切り替えする必要がなく、ユーザが画面を閲覧する体験を向上させることができる。
【００５９】
図２０に示すように、本実施例の対象切り替え装置は、前記マルチポイントタッチ操作に応じて、現在の画面に縮小及び／又は拡大処理を行うように構成される対象処理モジュールを更に含み、前記対象切り替えモジュールはさらに、前記対象処理モジュールが現在の画面に縮小及び／又は拡大処理を行う時に、前記マルチポイントタッチ操作が所定の画面切り替え条件を満たすか否かを判定する。
図２０の対象切り替え装置は、画面に縮小及び／又は拡大を行いながら、画面を切り替えすることができ、ユーザの画面に対する縮小／拡大の需要を満たすと共に、画面に対する切り替えの需要も満たすことができる。
【００６０】
本実施例中のマルチポイントタッチ操作は、ユーザが少なくとも２本以上の指で前記タッチスクリーンに接触して、前記タッチスクリーンにおいて現在表示中の画面に縮小及び／又は拡大を行うピンチイン及び／又はピンチアウトのタッチ操作であることが好ましい。
【００６１】
本実施例の対象切り替え装置は、縮小及び／又は拡大するためのピンチイン／ピンチアウトのタッチ操作が切り替え条件を満たすか否かを検出し、満たすのであれば、画面を切り替えすることができ、本実施例の対象切り替え装置は、マルチポイントタッチ操作を介して画面を切り替えし、ユーザが単一ポイントタッチ操作に切り替えしてから画面の切り替えを行う必要がなく、ユーザの操作の利便性を向上させる。
【００６２】
前記所定の画面切り替え条件が、以下の３種類の切り替え条件の中の一つ又は少なくとも二つの組み合せであることが好ましい。
第１種：前記マルチポイントタッチ操作の操作頻度が所定の頻度範囲内である。
第２種：前記マルチポイントタッチ操作に対応する縮小及び／又は拡大比例が所定の比例範囲内である。
第３種：前記マルチポイントタッチ操作の操作回数が所定の回数範囲内である。
本実施例の対象切り替え装置は、上述した３種類の中の一つの切り替え条件に基づいて、画面を切り替えする必要があるか否かを判定し、３種類の切り替え条件の中の二つ又は三つの切り替え条件の組み合わせに基づいて画面を切り替えする必要があるか否かを判定することもできる。
【００６３】
前記対象切り替えモジュールは、
切り替え待ち画面を少なくとも二つの組成部分に区分けし、前記切り替え待ち画面の各組成部分を第１の所定方式でタッチスクリーンに入れて画面を構成して表示し、
又は、
完全な切り替え待ち画面を第２の所定方式でタッチスクリーンに入れて表示し、
又は、
切り替え待ち画面を前記タッチスクリーン上の１点から徐々に拡大する方式で表示する。
【００６４】
前記第１の所定方式が、前記切り替え待ち画面の各組成部分を前記マルチポイントタッチ操作の方向に従ってタッチスクリーンに入れて画面を構成して表示する方式を含むことが好ましい。
前記第２の所定方式が、完全な切り替え待ち画面を前記マルチポイントタッチ操作の方向に従ってタッチスクリーンに入れて表示する方式を含むことが好ましい。
【００６５】
前記マルチポイントタッチ操作は、ユーザが少なくとも２本以上の指で前記タッチスクリーンに接触して、前記タッチスクリーンにおいて現在表示中の対象に縮小及び／又は拡大を行うピンチイン及び／又はピンチアウトのタッチ操作であって、前記対象切り替えモジュールは、 
ピンチイン及び／又はピンチアウトのタッチ操作の中央線を検出し、前記中央線が現在表示中の画面を二つの部分に区分けした比例値を取得し、前記比例値に基づいて、前記切り替え待ち画面を対応する比例を有する二つの組成部分に区分けし、
又は、
ユーザの指と前記タッチスクリーンとの接触点の位置を検出し、前記接触点の位置に基づいて、前記切り替え待ち画面を対応する比例を有する二つの組成部分に区分けし、
又は、
ユーザの指が前記スクリーンでピンチイン及び／又はピンチアウトを行うタッチ経路の長さを検出し、前記タッチ経路の長さに基づいて、前記切り替え待ち画面を対応する比例を有する二つの組成部分に区分けし、
切り替え待ち画面の二つの組成部分をそれぞれ、ピンチイン及び／又はピンチアウトの方向と一致する方向に従って前記タッチスクリーンに入れて画面を構成して表示する。
【００６６】
前記マルチポイントタッチ操作はユーザが少なくとも２本以上の指で前記タッチスクリーンに接触して、前記タッチスクリーンにおいて現在表示中の対象に縮小及び／又は拡大を行うピンチイン及び／又はピンチアウトのタッチ操作であって、前記対象切り替えモジュールはさらに、ユーザの指と前記タッチスクリーンとの接触点の位置を検出し、前記接触点の位置に基づいて、前記切り替え待ち画面が現在の画面の前画面であるか後画面であるかを確定し、又は、ユーザの指が前記スクリーンでピンチイン及び／又はピンチアウトを行うタッチ経路の長さを検出し、前記接触点の位置に基づいて、前記切り替え待ち画面が現在の画面の前画面であるか後画面であるかを確定し、又は、前記マルチポイントタッチ操作がピンチインであるかピンチアウトであるかに基づいて、切り替え待ち画面が現在の画面の前画面であるか後画面であるかを確定する。
【００６７】
本実施例の対象切り替え装置の各モジュールの動作は、実施例１に開示された方法ステップの関連する内容を参照することができる。本実施例の対象切り替え装置は、ユーザが画面を縮小及び／又は拡大する時、単一ポイントタッチ方式に切り替えせずに直接に画面を切り替えすることができ、ユーザの画面閲覧に関連する操作が一層スムーズ且つ便利になる。例えば、ユーザがマルチポイントタッチ操作を介して、現在表示中の画面を拡大する時、マルチポイントタッチ操作が所定の操作に符合すると、画面を切り替えし、このように、ユーザはマルチポイントタッチ方式から単一ポイントタッチ方式に切り替えしてから画面を切り替えする必要がない。本発明の実施例の切り替え方法によると、画面一部のドラッグと画面間の切り替えとの二つの操作が同じであることで誤操作が発生する問題を避けることができ、既存の画面切り替え方法に比べ、本発明の画面切り替え方法によると、ユーザが画面を操作する利便性及び画面を閲覧する体験を向上させることができる。
【００６８】
本実施例の対象切り替え装置を画面の切り替えに応用することができると共に、テキスト又は情報ページの切り替えに応用することもできる。
図２１に示すように、本実施例において、上述した対象切り替え装置を備えるタッチスクリーン端末を提供し、対象切り替え装置における検出モジュールが対象ディスプレイインタフェースにおいて、ユーザがタッチスクリーンにおいて現在表示中の対象に縮小及び／又は拡大のマルチポイントタッチ操作を行ったかを検出し、対象切り替え装置における対象切り替えモジュールが、前記マルチポイントタッチ操作が所定の対象切り替え条件を満たすか否かを判定し、満たすのであれば、対象を切り替えする。
【００６９】
本実施例のタッチスクリーン端末によると、ユーザが画面を閲覧する時、タッチ操作方式の切り替えを行わずに画面の切り替えを実現することができ、ユーザの画面操作の利便性を向上させ、画面を閲覧する時の体験を向上させる。
【産業上の利用可能性】
【００７０】
本発明で提供する技術案によると、ユーザが対象を閲覧する時に、マルチポイントタッチ操作を介して対象の切り替えを実現することができ、単一ポイントタッチ操作に切り替えしてから対象の切り替えを実現する必要がない。具体的に、ユーザが画面を閲覧する時に、タッチ操作の切り替えを行わずに画面の切り替えを実現し、ユーザの画面操作の利便性を向上させ、画面を閲覧する時の体験を向上させる。
【００７１】
以上は、具体的な実施形態を結合して本発明を詳しく説明したもので、本発明の具体的な実施がこれらに限定されることはない。当業者であれば、本発明の構想を離脱しない範囲内で、幾つかの簡単な推定又は入れ替えを行うことができ、これらの全ては本発明の保護範囲に含まれるものである。
【図１】
2016528639.tif 000003
【図２】
2016528639.tif 000004
【図３】
2016528639.tif 000005
【図４】
2016528639.tif 000006
【図５】
2016528639.tif 000007
【図６】
2016528639.tif 000008
【図７】
2016528639.tif 000009
【図８】
2016528639.tif 000010
【図９】
2016528639.tif 000011
【図１０】
2016528639.tif 000012
【図１１】
2016528639.tif 000013
【図１２】
2016528639.tif 000014
【図１３】
2016528639.tif 000015
【図１４】
2016528639.tif 000016
【図１５】
2016528639.tif 000017
【図１６】
2016528639.tif 000018
【図１７】
2016528639.tif 000019
【図１８】
2016528639.tif 000020
【図１９】
2016528639.tif 000021
【図２０】
2016528639.tif 000022
【図２１】
2016528639.tif 000023
【手続補正書】
【提出日】平成28年4月27日(2016.4.27)
【手続補正１】
【補正対象書類名】特許請求の範囲
【補正対象項目名】全文
【補正方法】変更
【補正の内容】
【特許請求の範囲】
【請求項１】
対象ディスプレイインタフェースにおいて、タッチスクリーンに現在表示中の対象に縮小及び／又は拡大のマルチポイントタッチ操作をユーザが行ったかを検出することと、
前記マルチポイントタッチ操作が所定の対象切り替え条件を満たすか否かを判定し、満たすのであれば、対象を切り替えすることと、を含む対象切り替え方法。
【請求項２】
前記マルチポイントタッチ操作に応じて、現在表示中の対象に縮小及び／又は拡大処理を行うステップを更に含み、
前記マルチポイントタッチ操作に応じて現在の対象に縮小及び／又は拡大処理を行う中途に、前記マルチポイントタッチ操作が所定の対象切り替え条件を満たすか否かを判定するステップを行う請求項１に記載の対象切り替え方法。
【請求項３】
前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである請求項１又は２に記載の対象切り替え方法。
【請求項４】
前記対象を切り替えするステップは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大させる方式で表示することを含む請求項１又は２に記載の対象切り替え方法。
【請求項５】
前記第１の所定方式が、前記切り替え待ち対象の各組成部分を前記マルチポイントタッチ操作の方向に従ってタッチスクリーンに入れて、対象として構成し表示することを含み、
前記第２の所定方式が、完全な切り替え待ち対象を前記マルチポイントタッチ操作の方向に従ってタッチスクリーンに入れて表示することを含む請求項４に記載の対象切り替え方法。
【請求項６】
前記マルチポイントタッチ操作が、ユーザが少なくとも２本以上の指で前記タッチスクリーンに接触し、前記タッチスクリーンに現在表示中の対象に縮小及び／又は拡大を行うピンチイン及び／又はピンチアウトのタッチ操作であり、前記切り替え待ち対象を二つの組成部分に区分けするステップは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けすることと、
又は、
ユーザの指と前記タッチスクリーンとの接触点の位置を検出し、前記接触点の位置に基づいて、前記切り替え待ち対象を対応する比例を有する二つの組成部分に区分けすることと、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けすることと、を含む請求項４に記載の対象切り替え方法。
【請求項７】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であって、対象を切り替えする前、前記切り替え待ち対象が、現在の対象の後対象であるかそれとも前対象であるかを確定するステップを更に含み、
該ステップは、
ユーザの指と前記タッチスクリーンとの接触点の位置を検出し、前記接触点の位置に基づいて、前記切り替え待ち対象が現在の対象の後対象であるかそれとも前対象であるかを確定することと、
又は、
ユーザの指が前記スクリーンでピンチイン及び／又はピンチアウトを行うタッチ経路の長さを検出し、前記タッチ経路の長さに基づいて、前記切り替え待ち対象が現在の対象の後対象であるかそれとも前対象であるかを確定することと、
又は、
前記マルチポイントタッチ操作がピンチインであるかピンチアウトであるかに基づいて、切り替え待ち対象が現在の対象の後対象であるかそれとも前対象であるかを確定することと、を含む請求項１又は２に記載の対象切り替え方法。
【請求項８】
前記対象は、画面、ドキュメント又は情報表示ページを含む請求項１に記載の対象切り替え方法。
【請求項９】
対象ディスプレイインタフェースにおいて、タッチスクリーンに現在表示中の対象に縮小及び／又は拡大のマルチポイントタッチ操作をユーザが行ったかを検出するように構成される検出モジュールと、
前記マルチポイントタッチ操作が所定の対象切り替え条件を満たすか否かを判定し、満たすのであれば、対象を切り替えするように構成される対象切り替えモジュールと、を含む対象切り替え装置。
【請求項１０】
前記マルチポイントタッチ操作に応じて、現在の対象に縮小及び／又は拡大処理を行うように構成される対象処理モジュールを更に含み、
前記対象切り替えモジュールはさらに、前記対象処理モジュールにより現在の対象に縮小及び／又は拡大処理を行う中途に、前記マルチポイントタッチ操作が所定の対象切り替え条件を満たすか否かを判定するように構成される請求項９に記載の対象切り替え装置。
【請求項１１】
前記所定の対象切り替え条件は、
前記マルチポイントタッチ操作の操作頻度が所定の頻度範囲内である第１種と、
前記マルチポイントタッチ操作に対応する縮小及び／又は拡大比例が所定の比例範囲内である第２種と、
前記マルチポイントタッチ操作の操作回数が所定の回数範囲内である第３種と、
の３種類の切り替え条件の中の一つ又は少なくとも二つの組み合せである請求項９又は１０に記載の対象切り替え装置。
【請求項１２】
前記対象切り替えモジュールは、
切り替え待ち対象を少なくとも二つの組成部分に区分けし、前記切り替え待ち対象の各組成部分を第１の所定方式でタッチスクリーンに入れて、対象として構成し表示し、
又は、
完全な切り替え待ち対象を第２の所定方式でタッチスクリーンに入れて表示し、
又は、
切り替え待ち対象を前記タッチスクリーン上の１点から徐々に拡大する方式で表示するように構成される請求項９又は１０に記載の対象切り替え装置。
【請求項１３】
前記第１の所定方式が、前記切り替え待ち対象の各組成部分を前記マルチポイントタッチ操作の方向に従ってタッチスクリーンに入れて対象として構成し表示する方式を含み、
前記第２の所定方式が、完全な切り替え待ち対象を前記マルチポイントタッチ操作の方向に従ってタッチスクリーンに入れて表示する方式を含む請求項１２に記載の対象切り替え装置。
【請求項１４】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、
前記対象切り替えモジュールは、
ピンチイン及び／又はピンチアウトのタッチ操作の中央線を検出し、前記中央線が現在表示中の対象を二つの部分に区分けした比例値を取得し、前記比例値に基づいて、前記切り替え待ち対象を対応する比例を有する二つの組成部分に区分けし、
又は、
ユーザの指と前記タッチスクリーンとの接触点の位置を検出し、前記接触点の位置に基づいて、前記切り替え待ち対象を対応する比例を有する二つの組成部分に区分けし、
又は、
ユーザの指が前記スクリーンでピンチイン及び／又はピンチアウトを行うタッチ経路の長さを検出し、前記タッチ経路の長さに基づいて、前記切り替え待ち対象を対応する比例を有する二つの組成部分に区分けするように構成される請求項１２に記載の対象切り替え装置。
【請求項１５】
前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、
前記対象切り替えモジュールはさらに、ユーザの指と前記タッチスクリーンとの接触点の位置を検出し、前記接触点の位置に基づいて、前記切り替え待ち対象が現在の対象の後対象であるかそれとも前対象であるかを確定し、又は、ユーザの指が前記スクリーンでピンチイン及び／又はピンチアウトを行うタッチ経路の長さを検出し、前記タッチ経路の長さに基づいて、前記切り替え待ち対象が現在の対象の後対象であるかそれとも前対象であるかを確定し、又は、前記マルチポイントタッチ操作がピンチインであるかピンチアウトであるかに基づいて、切り替え待ち対象が現在の対象の後対象であるかそれとも前対象であるかを確定するように構成される請求項９又は１０に記載の対象切り替え装置。
【請求項１６】
請求項９乃至１５のいずれかに記載の対象切り替え装置を含むタッチスクリーン端末。
【手続補正２】
【補正対象書類名】明細書
【補正対象項目名】００１５
【補正方法】変更
【補正の内容】
【００１５】
さらに、前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であって、対象を切り替えする前、前記切り替え待ち対象が、現在の対象の後対象であるかそれとも前対象であるかを確定するステップを更に含み、該ステップは、
ユーザの指と前記タッチスクリーンとの接触点の位置を検出し、前記接触点の位置に基づいて、前記切り替え待ち対象が現在の対象の後対象であるかそれとも前対象であるかを確定することと、
又は、
ユーザの指が前記スクリーンでピンチイン及び／又はピンチアウトを行うタッチ経路の長さを検出し、前記タッチ経路の長さに基づいて、前記切り替え待ち対象が現在の対象の後対象であるかそれとも前対象であるかを確定することと、
又は、
前記マルチポイントタッチ操作がピンチインであるかピンチアウトであるかに基づいて、切り替え待ち対象が現在の対象の後対象であるかそれとも前対象であるかを確定することと、を含む。
【手続補正３】
【補正対象書類名】明細書
【補正対象項目名】００２４
【補正方法】変更
【補正の内容】
【００２４】
さらに、前記マルチポイントタッチ操作は、ユーザが少なくとも２本以上の指で前記タッチスクリーンに接触して、前記タッチスクリーンにおいて、現在表示中の対象に縮小及び／又は拡大を行うピンチイン及び／又はピンチアウトのタッチ操作であり、前記対象切り替えモジュールはさらに、ユーザの指と前記タッチスクリーンとの接触点の位置を検出し、前記接触点の位置に基づいて、前記切り替え待ち対象が現在の対象の後対象であるかそれとも前対象であるかを確定し、又は、ユーザの指が前記スクリーンでピンチイン及び／又はピンチアウトを行うタッチ経路の長さを検出し、前記タッチ経路の長さに基づいて、前記切り替え待ち対象が現在の対象の後対象であるかそれとも前対象であるかを確定し、又は、前記マルチポイントタッチ操作がピンチインであるかピンチアウトであるかに基づいて、切り替え待ち対象が現在の対象の後対象であるかそれとも前対象であるかを確定するように構成される。
【手続補正４】
【補正対象書類名】明細書
【補正対象項目名】００５２
【補正方法】変更
【補正の内容】
【００５２】
２、ユーザの指が前記スクリーンでピンチイン及び／又はピンチアウトを行うタッチ経路の長さを検出し、前記接触点の位置に基づいて、前記切り替え待ち画面が現在の画面の前画面であるか後画面であるかを確定する。
図１３と図１４において、画像２は画像１の後画像である。上方の２枚の画面と下方の２枚の画面において、ユーザの指の操作は明らかに異なっていて、図１３においてユーザの上方の指による操作経路の長さは下方の指による操作経路の長さより長く、図１４は図１３に対する応答であって、ユーザが縮小操作を行う時、タッチ式機器は自動的に二つの指の操作経路の長さを記録し、上方の指による操作経路の長さが下方の指による操作経路の長さより長いと、自動的に現在の画面の後画面である右上図中の画像２に切り替えする。
図１５と図１６に示すように、反対に、下方の指による操作経路の長さが上方の指による操作経路の長さより長いと、自動的に現在の画面の前画面に切り替えする。図１３〜図１６において、６０１は第４の携帯型移動機器を示し、６０１１は携帯型移動機器６０１上のスピーカーを示し、６０１２は携帯型移動機器６０１上のタッチスクリーンを示し、６０１３は携帯型移動機器６０１上の機能キーを示す。
【手続補正５】
【補正対象書類名】明細書
【補正対象項目名】００６６
【補正方法】変更
【補正の内容】
【００６６】
前記マルチポイントタッチ操作はユーザが少なくとも２本以上の指で前記タッチスクリーンに接触して、前記タッチスクリーンにおいて現在表示中の対象に縮小及び／又は拡大を行うピンチイン及び／又はピンチアウトのタッチ操作であって、前記対象切り替えモジュールはさらに、ユーザの指と前記タッチスクリーンとの接触点の位置を検出し、前記接触点の位置に基づいて、前記切り替え待ち画面が現在の画面の前画面であるか後画面であるかを確定し、又は、ユーザの指が前記スクリーンでピンチイン及び／又はピンチアウトを行うタッチ経路の長さを検出し、前記タッチ経路の長さに基づいて、前記切り替え待ち画面が現在の画面の前画面であるか後画面であるかを確定し、又は、前記マルチポイントタッチ操作がピンチインであるかピンチアウトであるかに基づいて、切り替え待ち画面が現在の画面の前画面であるか後画面であるかを確定する。
【国際調査報告】
2016528639.tif 000024
2016528639.tif 000025
2016528639.tif 000026
2016528639.tif 000027